(57)【要約】【課題】  結束箇所相互間でのハーネスの浮き上がりを抑止できるようにした遊技機を提供する。【解決手段】  パチンコ機１は、開口部を有する枠体状の筐体２と、背面側に遊技機全体の制御を司る主基板１９を搭載した形で筐体２に開閉可能に支持される前扉３とを備え、主基板１９と他の電子部品とが電気的接続ケーブルであるハーネス１０を介して互いに接続されている。当該パチンコ機１は、ハーネス１０の一端に装着されたプラグを結合するコネクタ２７を主基板１９に備え、コネクタ２７の近傍に、該コネクタ２７に結合されたプラグから延びるハーネス１０を押さえて主基板１９側に固定するロック部材２１を備える。これにより、主基板１９のコネクタ２７にプラグ接続されたハーネス１０をロック部材２１にてワンタッチで押さえ、結束箇所相互間でのハーネス１０の浮き上がりを確実に押さえることができる。【選択図】      図３
2005230109.tif 000002
【特許請求の範囲】
【請求項１】
開口部を有する枠体状の筐体と、背面側に遊技機全体の制御を司る主基板を搭載した形で前記筐体に開閉可能に支持される前扉とを備え、前記主基板と他の電子部品とが電気的接続ケーブルであるハーネスを介して互いに接続されてなる遊技機において、
前記ハーネスの一端に装着されたプラグを結合するコネクタを前記主基板に備え、
前記コネクタの近傍に、該コネクタに結合された前記プラグから延びるハーネスを押さえて前記主基板側に固定するロック部材を備える、
ことを特徴とする遊技機。
【請求項２】
前記ロック部材は、前記主基板における前記コネクタの少なくとも一側に回動軸を備え、かつ該回動軸を中心に前記コネクタに対して回動した状態で、該コネクタに前記プラグを介して接続された前記ハーネスの膨出部分を囲繞して押さえる押さえ部を備えてなる、
ことを特徴とする請求項１に記載の遊技機。
【請求項３】
前記ロック部材の前記回動軸は、前記前扉の背面に固定された状態で前記主基板を覆う主基板ケースに配置されてなる、
ことを特徴とする請求項１又は２に記載の遊技機。
【請求項４】
前記ロック部材は、前記コネクタ側に回動して前記ハーネスを押さえた状態にて、前記前扉の開閉時に前記筐体との接触を回避し得る傾斜形状部を備えてなる、
ことを特徴とする請求項１ないし３のうち何れか１項に記載の遊技機。
【請求項５】
前記ロック部材は、前記コネクタ側に回動して前記ハーネスを押さえた状態にて前記コネクタ及びその周囲を視認可能に開放して主基板側の見通しを妨げないようにする開口部を備えてなる、
ことを特徴とする請求項１ないし４のうち何れか１項に記載の遊技機。
【発明の詳細な説明】
【技術分野】
【０００１】
本発明は、パチンコ機等の遊技機に関し、詳しくはハーネスの結束構造を改善した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
一般に、上述のような従来のパチンコ機は、筐体と、この筐体に対し回動自在となるように装着される前扉とを備えて構成されており、当該前枠の背面側には、主制御基板（主基板）、サブ制御基板（サブ基板）及び画像制御基板等の各種基板が取り付けられており、これら基板同士、或いは前枠に装備された液晶表示装置や演出用ランプ等とその対応する基板との間は、ハーネスによって相互に配線接続されている。そして、このようなパチンコ機においては、配線固定用の曲折可能な配線結束具（所謂ナイロンバンド）によってハーネスを結束固定するように構成されたものも存在する（例えば、特許文献２参照）。
【０００５】
【特許文献１】特開２００３−２３６２１０号公報
【特許文献２】特許第３３９５７５５号公報
【発明の開示】
【発明が解決しようとする課題】
【０００６】
ところで、上述した配線結束具を用いる上記従来のパチンコ機にあっては、配線（ハーネス）の結束固定は問題無く行えるものの、例えばパチンコ機を遊技場における島に装備する際の作業時に、結束箇所から次の結束箇所までの間で生じるハーネスの浮き上がりに起因して、当該ハーネスが他の設置物に引っ掛かってコネクタから抜けて断線する等の虞があった。この場合、主基板に接続されたハーネスの抜けによる断線は特に気を付けなければならない。例えば、島へのパチンコ機設置後の遊技中に、球詰まり等の解消のために前枠を開閉した際に主基板のハーネスに抜けを生じた場合には、遊技に支障を来すことになるため、このような抜けの発生は確実に回避しなければならない。
【０００７】
そこで本発明は、主基板に備えたコネクタにプラグ接続されたハーネスをワンタッチで押さえ得るロック部材を配置することにより、結束箇所相互間でのハーネスの浮き上がりを抑止し得るように構成し、もって上述した課題を解決した遊技機を提供することを目的とするものである。
【課題を解決するための手段】
【０００８】
請求項１に係る本発明は（例えば図１ないし図４参照）、開口部を有する枠体状の筐体（２）と、背面側に遊技機全体の制御を司る主基板（１９）を搭載した形で前記筐体（２）に開閉可能に支持される前扉（３）とを備え、前記主基板（１９）と他の電子部品とが電気的接続ケーブルであるハーネス（１０）を介して互いに接続されてなる遊技機（１）において、
前記ハーネス（１０）の一端に装着されたプラグを結合するコネクタ（２７）を前記主基板（１９）に備え、
前記コネクタ（２７）の近傍に、該コネクタ（２７）に結合された前記プラグから延びるハーネス（１０）を押さえて前記主基板（１９）側に固定するロック部材（２１）を備える、
ことを特徴とする遊技機（１）にある。
【０００９】
請求項２に係る本発明（例えば図３及び図４参照）は、前記ロック部材（２１）が、前記主基板（１９）における前記コネクタ（２７）の少なくとも一側に回動軸（２４）を備え、かつ該回動軸（２４）を中心に前記コネクタ（２７）に対して回動した状態で、該コネクタ（２７）に前記プラグを介して接続された前記ハーネス（１０）の膨出部分を囲繞して押さえる押さえ部（２１ｃ）を備えてなる、
ことを特徴とする請求項１に記載の遊技機（１）にある。
【００１０】
請求項３に係る本発明（例えば図３及び図４参照）は、前記ロック部材（２１）の前記回動軸（２４）が、前記前扉（３）の背面に固定された状態で前記主基板（１９）を覆う主基板ケース（３０）に配置されてなる、
ことを特徴とする請求項１又は２に記載の遊技機（１）にある。
【００１１】
請求項４に係る本発明（例えば図３及び図４参照）は、前記ロック部材（２１）が、前記コネクタ側に回動して前記ハーネス（１０）を押さえた状態にて、前記前扉（３）の開閉時に前記筐体（２）との接触を回避し得る傾斜形状部（２１ｃ）を備えてなる、
ことを特徴とする請求項１ないし３のうち何れか１項に記載の遊技機（１）にある。
【００１２】
請求項５に係る本発明（例えば図３参照）は、前記ロック部材（２１）が、前記コネクタ（２７）側に回動して前記ハーネス（１０）を押さえた状態にて前記コネクタ（２７）及びその周囲を視認可能に開放して主基板側の見通しを妨げないようにする開口部（２１ｅ）を備えてなる、
ことを特徴とする請求項１ないし４のうち何れか１項に記載の遊技機（１）にある。
【００１３】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１４】
請求項１に係る本発明によると、ハーネス一端に装着されたプラグを結合するコネクタの近傍に、該コネクタに結合されたプラグから延びるハーネスを押さえて主基板側に固定するロック部材を備えるので、主基板のコネクタにプラグ接続されたハーネスをロック部材にてワンタッチで押さえ、結束箇所相互間でのハーネスの浮き上がりを確実に押さえることができる。これにより、例えば、遊技機を遊技場の島に装備する際の作業時や、球詰まりを解消する際の前枠の開閉時等に、主基板に接続したハーネスをその浮き上がりにより他の設置物に引っ掛けて断線させる等の虞を無くし、制御上特に重要な主基板の断線により遊技性を大きく損なうような不具合の発生を、確実に防止することができる。
【００１５】
請求項２に係る本発明によると、ロック部材が、その回動軸を中心にコネクタに対して回動した状態で該コネクタに接続されたハーネスの膨出部分を囲繞して押さえる押さえ部を備えるので、当該押さえ部によってハーネスの膨出部分を極めて有効に押さえることができる。
【００１６】
請求項３に係る本発明によると、ロック部材の回動軸が、前扉の背面に固定された状態で主基板を覆う主基板ケースに配置されるので、出荷に先立つ遊技機の組立て工程において、主基板ケースを、主基板と共にロック部材を一体的に備えた１部品として取り扱って組立て作業を進めることができ、従って、作業性を向上させることができる。
【００１７】
請求項４に係る本発明によると、ロック部材をコネクタ側に回動させてハーネスを押さえた状態で前扉を筐体に対して開閉する際に、ロック部材が筐体に当たってハーネスの押さえ状態を損なう等の不都合の発生を確実に回避することができる。
【００１８】
請求項５に係る本発明によると、ロック部材が、コネクタ側に回動してハーネスを押さえた状態にてコネクタ及びその周囲を視認可能に開放する開口部を備えるので、主基板のコネクタ接続部分及びその周辺に対する視認性をロック部材によって損なうような不都合を回避することができる。
【発明を実施するための最良の形態】
【００１９】
以下、本発明に係る遊技機の実施形態として、遊技場等に設置されるパチンコ機を図１ないし図４に沿って説明する。
【００２０】
なお、図１は本パチンコ機の外部構造を示す正面図、図２は本パチンコ機の前扉を開放した状態で示す斜視図、図３は本パチンコ機の前扉の背面側に装着される主基板及び主基板ケース等を示す正面図、図４は図３の主基板ケース等を上方から見た状態で示す平面図である。
【００２１】
本パチンコ機１は、後述の発射ハンドル９の操作による発射装置（図示せず）の作動で遊技球を遊技盤面部７上に打ち出しつつ遊技を行うもので、いわゆる確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
図１に示すように、本パチンコ機１は、開口部を有する枠体状の筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。ガラス枠５における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。
【００２３】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリベートカード返却ボタン１４ｂが設けられている。皿ユニット１３の中央部には、該皿ユニット１３上の遊技球を球発射装置（図示せず）付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４とチャンスボタン２５とが配置されている。
【００２４】
図２に示すように、前扉３は、ヒンジ機構３１を介して筐体２に対して開閉自在に支持されている。なお、同図における符号１２はロックアームを、１１はロックアーム１２を係止するロック爪を、１５は球供給皿を、１６は主基板ユニットを、１７はサブ基板等のユニットを、２６はこれら基板ユニット１６，１７や上記遊技盤面部７を支持する遊技盤枠を夫々示している。主基板ユニット１６に内蔵された、遊技機全体の制御を司る主基板１９（図３参照）は、電気的接続ケーブルであるハーネス１０を介して、ユニット１７における電子部品やその他の電子部品と接続されている。
【００２５】
次に、本発明の特徴である主基板に接続したハーネスの結束構造について図３及び図４に沿って説明する。即ち、前扉３の背面側に搭載された主基板ユニット１６は、主基板１９を内蔵した主基板ケース３０を有しており、該主基板ケース３０は、その周囲に設けられたブラケット部２９及び主基板１９を防護する防護カバー３０’をビス止めされる等により前扉背面側に固定されている。
【００２６】
主基板ケース３０は、図３の左右方向に長い略直方体形状を呈しており、この主基板ケース３０の前面には上記防護カバー３０’が取り付けられている。この防護カバー３０’の左側部分には、内方の主基板１９に設けられたコネクタ２７を外方に露出させる開口部１６ａが形成されている。このコネクタ２７は、ハーネス１０の一端に装着されたプラグ（図示せず）を結合した状態で、主基板１９を他の電子部品と電気的に接続する。また、主基板１９は、略中央部分に実装されたＲＯＭ装置２０を有している。
【００２７】
主基板ユニット１６では、主基板ケース３０の左側部におけるコネクタ近傍、つまり前扉３の開閉時に筐体２におけるヒンジ機構３１と反対側の側部に近接して接離する側部（図２参照）に、コネクタ２７に結合されたプラグ（図示せず）から延びるハーネス１０を押さえて主基板１９側に固定するロック部材２１を備えている。
【００２８】
前扉３の背面に固定された状態で主基板１９を覆う主基板ケース３０に、回動軸２４が配置されている。ロック部材２１は、主基板ケース３０のコネクタ２７の左側に配置された上記回動軸２４によりその回動基部２１ｄを回動自在に支持されており、回動軸２４を中心にコネクタ２７に対して回動した状態で、該コネクタ２７にプラグを介して接続されたハーネス１０の膨出部分を囲繞して押さえる押さえ部２１ｃと、当該膨出部分を押さえた状態にて主基板ケース３０側の係合凹部２８に係合する係合凸部２１ａとを備えている。上記押さえ部２１ｃは、ロック部材２１がコネクタ２７側に回動してハーネス１０を押さえた状態にて、前扉３の開閉時に筐体２側との接触を回避し得る傾斜形状部としても機能する。ロック部材２１は更に、コネクタ２７側に回動してハーネス１０を押さえた状態にてコネクタ２７及びその周囲を視認可能に開放して主基板側の見通しを妨げないようにする開口部２１ｅを備えている。
【００２９】
なお、上記構成に限らず、例えば回動軸２４を、図４中のコネクタ２７を挟んだ反対側（つまり、係合凹部２８近傍）に配置し、かつ係合凹部２８を図４中の回動軸２４の位置に配置して、ロック部材２１の矢印Ａ方向での開閉方向が図４とは逆になるように構成することもできる。この場合には、たとえロック部材２１を係合凹部２８側に回動係止しない状態で前扉３を開閉したとしても、ロック部材２１が筐体２側に接触するような不都合を回避できるという利点が得られる。また、ロック部材２１の回動軸２４を主基板１９におけるコネクタ２７の両側に設けることも可能であり、その場合、ロック部材２１を一方の回動軸２４側から外して他方の回動軸２４を中心に適宜回動させることができ、従って、ロック部材２１の開閉時の回動方向を任意に選択することが可能になる。
【００３０】
したがって、以上の本実施形態におけるパチンコ機１によると、ハーネス１０の一端に装着されたプラグ（図示せず）を結合するコネクタ２７の近傍に、該コネクタ２７に結合されたプラグから延びるハーネス１０を押さえて主基板１９側に固定するロック部材２１を備えるので、主基板１９のコネクタ２７にプラグ接続されたハーネス１０をロック部材２１にてワンタッチで押さえ、結束箇所相互間でのハーネス１０の浮き上がりを確実に押さえることができる。
【００３１】
これにより、例えば、パチンコ機１を遊技場の島に装備する際の作業時や、球詰まりを解消する際の前枠３の開閉時等に、主基板１９に接続したハーネス１０をその浮き上がりにより他の設置物に引っ掛けて断線させる等の虞を無くし、制御上特に重要な主基板の断線により遊技性を大きく損なうような不具合の発生を、確実に防止することができる。
【００３２】
また、ロック部材２１が、その回動軸２４を中心にコネクタ２７に対して回動した状態で該コネクタ２７に接続されたハーネス１０の膨出部分を囲繞して押さえる押さえ部２１ｃを備えるので、当該押さえ部２１ｃによってハーネス１０の膨出部分を極めて有効に押さえることができる。更に、ロック部材２１の回動軸２４が、前扉３の背面に固定された状態で主基板１９を覆う主基板ケース３０に配置されるので、出荷に先立つパチンコ機１の組立て工程において、主基板ケース３０を、主基板１９と共にロック部材２１を一体的に備えた１部品として取り扱って組立て作業を進めることができ、従って、作業性を向上させることができる。
【００３３】
そして、ロック部材２１をコネクタ２７側に回動させてハーネス１０を押さえた状態で前扉３を筐体２に対して開閉する際に、ロック部材２１が筐体２に当たってハーネス１０の押さえ状態を損なう等の不都合の発生を確実に回避することができる。また、ロック部材２１が、コネクタ２７側に回動してハーネス１０を押さえた状態にてコネクタ２７及びその周囲を視認可能に開放する開口部２４を備えるので、主基板１９のコネクタ接続部分及びその周辺に対する視認性をロック部材２１によって損なうような不都合を回避することができる。
【００３４】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００３５】
【図１】本発明の実施形態におけるパチンコ機の外部構造を示す正面図である。
【図２】本パチンコ機の前扉を開放した状態で示す斜視図である。
【図３】本パチンコ機の前扉の背面側に装着される主基板及び主基板ケース等を示す正面図である。
【図４】図３の主基板ケース等を上方から見た状態で示す平面図である。
【符号の説明】
【００３６】
１…パチンコ機（遊技機）
２…筐体
３…前扉
１０…ハーネス
１６…主基板ユニット
１９…主基板
２１…ロック部材
２１ｃ…押さえ部（傾斜形状部）
２１ｅ…開口部
２４…ロック部材の回動軸
２７…コネクタ
３０…主基板ケース
【図１】
2005230109.tif 000003
【図２】
2005230109.tif 000004
【図３】
2005230109.tif 000005
【図４】
2005230109.tif 000006